(57)【要約】【課題】処理槽内の表面流速を低下することなく、浮遊するスカムを効率良く収集・除去すると共に死水領域が形成されることなく水処理効率の低下を誘発しないスカム除去装置の提供。【解決手段】汚水処理槽１内の水路気中部に左右送行用のガイドレール２を付設し、該ガイドレール２の下方に水中攪拌機３の外周を覆う吸込みカバー４に設けられたガイド５により該水中攪拌機３をガイドレール２に係合し、吸込みカバー４の上流側始端上縁部を切欠き上流側に向って末広状に吸込口６を形成し、吸込みカバー４の外周に水中攪拌機３を浮かすためのフロート７を設け、ガイド５に付設される繋留具９により水中攪拌機３を繋留する。また、吐出口７の終端部に舵板を左右回動自在に縦設し、該舵板に反転回動力を付勢する伸縮構造体を付設し、該舵板の先端に連結された操舵用槓杆の切換作動により水中攪拌機３を左右方向に自走させるよう構成する。【選択図】        図１
2006334449.tif 000002
【特許請求の範囲】
【請求項１】
汚水処理槽内の水路気中部に左右送行用のガイドレールを付設し、該ガイドレールの下方に左右送行可能に前部にプロペラを有する水中攪拌機の外周を覆う吸込みカバーに設けられたガイドにより該水中攪拌機をガイドレールに係合し、前記吸込みカバーの上流側始端上縁部を切欠き上流側に向って末広状に吸込口を形成し、更に、前記吸込みカバーの外周には水中攪拌機を浮かすためのフロートを設け、前記ガイドに付設される繋留具により水中攪拌機が繋留させるよう構成したことを特徴する、スカム除去装置。
【請求項２】
請求項１記載のスカム除去装置において、水中攪拌機の前方へ導出された舵軸支持座によって舵軸が枢支され、該舵軸の前方に舵板が張出されると共に舵軸支持座の周辺部には舵角調節機構が付設され、吸込みカバー下面外部の前記水中攪拌機の中心線上に支点を有する操舵用槓杆が舵板の先端近くへ連繋され、水中攪拌機の両側方から対向状に配設されたストッパーによって操舵用槓杆の反転位置が規制され、前記水中攪拌機の中心線上に基点を置く伸縮構造体の始端部が舵板の先端近くに連結され、該伸縮構造体の作用によって舵板の反転回動力が付勢されるよう構成したことを特徴とする、スカム除去装置。
【請求項３】
請求項２記載のスカム除去装置において、舵板の反転回動力を付勢する伸縮構造体がコイルスプリングであることを特徴する、スカム除去装置。
【発明の詳細な説明】
【技術分野】
【０００１】
本発明は、汚水処理水槽、例えばオキシデーションディッチ槽内における水面に発生する発泡スカムを水中攪拌機を用いて除去する装置に関するものである。
【背景技術】
【０００２】
オキシデーションディッチ(以下ＯＤという。)処理槽内の水面に浮遊発生するスカムを収集・除去するため、該ＯＤ槽内に設置される曝気機又は攪拌機の上流側の外側壁より下流側の該曝気機又は攪拌機に向けて水面上にオイルフェンス状のスカム収集ガイドを逆三角状に配置することで、上流から表面流に乗って浮遊移動してくるスカムを当該曝気機又は攪拌機の吸込口に誘導吸引させる事で、当該スカムを水中に巻き込ませ水中内の活性汚泥に接触吸着させ一体とすることで水中に完全に取り込ますことで水面に浮遊するスカムを除去する方法が用いらている（例えば、特許文献１参照）。
【０００３】
しかし、このような方法では、表面水路巾を下流に向って縮小遮蔽することでスカム収集ガイドの誘導効果を得ており、当然の事ながらスカム収集ガイドの無い場合と比べて表面流速が低下するので、付着性の高いスカムは前述の上流側の外側壁及び誘導距離が長く曝気機又は攪拌機の吸込口より離れた位置のスカム収集ガイド誘導側面等にスカムが付着する事を完全に防止することが出来無いばかりでなく、スカム収集ガイドの背面の外側壁周辺部分の表面流は当該スカム収集ガイドにより遮られて流れの無い死水領域が形成され、該死水領域の水面上には折角除去したスカムが再び発生・付着すると共に、水処理効率の低下を誘発するという問題を有している。
【０００４】
【特許文献１】特許第２９２３４１１号公報  （第１図）
【発明の開示】
【発明が解決しようとする課題】
【０００５】
解決しようとする課題は、処理槽内の表面流速を低下することなく、浮遊するスカムを効率良く収集・除去すると共に死水領域が形成されることなく水処理効率の低下を誘発しないスカム除去装置を提供することである。
【課題を解決するための手段】
【０００６】
本発明では、汚水処理槽内の水路気中部に左右送行用のガイドレールを付設し、該ガイドレールの下方に左右送行可能に水中攪拌機の外周を覆う吸込みカバーに設けられたガイドにより該水中攪拌機をガイドレールに係合し、前記吸込みカバーの上流側始端上縁部を切欠き上流側に向って末広状に吸込口を形成し、更に、前記吸込みカバーの外周には水中攪拌機を浮かすためのフロートを設け、前記ガイドに付設される繋留具により水中攪拌機が繋留させるよう構成したことを最も主要な特徴とする。
【発明の効果】
【０００７】
本発明によれば、スカム除去に移送水量の多いプロペラ式の水中攪拌機を用いて、吸込口の上縁部を切欠き状に開口しているため水中攪拌機による吸引作用と表層流の越流作用とが相俟って浮遊スカムを勢いよく大量に吸引・破砕・攪拌排水することができるので効率の良いスカム除去ができ、更に、左右送行用のガイドレールの下方に左右送行可能に水中攪拌機が係合されているので、スカム発生の多いポイントに水中攪拌機を容易に移動設置できるので、効率良くスカムを収集除去することができる。また、吐出口より吐出される攪拌流により吐出口の終端に付設された舵板および左右送行の切換え機構により水中攪拌機が左右方向に自走されるので、別途送行駆動源および同駆動装置を必要としないため構造が簡単でイニシャルおよびランニングコストを低く押させることができるとともに、煩わしい人為作業によるスカム除去装置の移動設定を行う必要がないという利点を有している。更に、左右方向の推力を得るため攪拌流を舵板面に当てることにより、攪拌流内に含まれる汚泥は広範囲に飛散攪拌されるので槽内汚泥濃度がより一層均一化されるという副次的効果も有している。
【発明を実施するための最良の形態】
【０００８】
汚水処理槽内の水路気中部に左右送行用のガイドレールを付設し、該ガイドレールの下方に左右送行可能に水中攪拌機の外周を覆う吸込みカバーに設けられたガイドにより該水中攪拌機をガイドレールに係合し、前記吸込みカバーの上流側始端上縁部を切欠き上流側に向って末広状に吸込口を形成し、更に、前記吸込みカバーの外周には水中攪拌機を浮かすためのフロートを設け、前記ガイドに付設される繋留具により水中攪拌機が繋留させる。また、水中攪拌機の前方へ導出された舵軸支持座によって舵軸が枢支され、該舵軸の前方に舵板が張出されると共に舵軸支持座の周辺部には舵角調節機構が付設され、吸込みカバー下面外部の前記水中攪拌機の中心線上に支点を有する操舵用槓杆が舵板の先端近くへ連繋され、水中攪拌機の両側方から対向状に配設されたストッパーによって操舵用槓杆の回動角度が規制され、前記水中攪拌機の中心線上に基点を置くコイルスプリングの始端部が舵板の先端近くに連結され、該伸縮構造体の作用によって舵板の反転回動力が付勢されるよう構成する。
【実施例１】
【０００９】
図１において、１は汚水処理水槽、２は該処理槽１内の水路気中部に設けられた左右送行用のガイドレールであり、３は該ガイドレール２の下方に左右送行可能に表層水ともに浮遊スカムを吸引・破砕し吐出口７より攪拌排水する前部にプロペラ１２を有する水中攪拌機３であり、該水中攪拌機３の外周を覆う吸込みカバー４に設けられたガイド５により該水中攪拌機３をガイドレール２に係合し、前記吸込みカバー４の上流側始端は表層流がスムーズに流入するよう上縁部を切欠き上流側に向って末広状に吸込口６を形成し、吸込みカバー４の外周には水中攪拌機３を浮かすためのフロート８が設けられ、前記ガイド５に付設される例えばチェーンやロープ等による繋留具９により水中攪拌機３が繋留させるよう構成する。
【実施例２】
【００１０】
実施例１のスカム除去装置を前提として、図２および図３に示すよう、１４は水中攪拌機３の前方へ導出された舵軸支持座、１５は舵軸支持座１４の後端部に枢支された舵軸であり、該舵軸１５の前方に舵板が張出されると共に舵軸支持座１４の周辺部には舵角調節機構(図示せず)が付設されている。該舵角調節機構の具体例として、舵板１６の上縁から後方へ導延された縁材１６ｅの両側方から対向するように、舵軸支持座１４に配設された係止ピン１７により回動角度が規制されるが、該係止ピン１７の配設間隔を変更することによって舵板１６の回動角度は調整可能となる。取付孔を配設することで上記係止ピン１７の配設間隔を変更することも可能である。１９は前記水中攪拌機３の中心線上に支点２０を有する操舵用槓杆であり、該操舵用槓杆９の前部に穿設された長孔２１が、舵板１６の上縁前方部に植設された係合ピン２２に係合することにより連繋される。２３，２３は吸込みカバー４の両側方から対向状に配設されたストッパーであり、ガイドレール２の下方を水中攪拌機３が左右に送行する際に、例えば、操舵用槓杆１９の後方導延部がストッパー２３，２３と当接することで、操舵用槓杆１９の反転位置が一定範囲に規制される。２４は舵板１６に反転回動力を付勢するための伸縮構造体であって、水中攪拌機３の中心線上に基点２４ａを置き、始端部２４ｂは舵板１６の先端近くに連結されている。該伸縮構造体２４の具体例として、コイルスプリングやゴム紐体のほかエアーシリンダーやオイルシリンダーを用いることもできる。また、水中攪拌機３の自走性を円滑にするためガイドレール２と摺接するガイド５内周側に摺動材或いはローラ等を設けることが望ましい。
【図面の簡単な説明】
【００１１】
【図１】本発明の実施例１おけるスカム除去装置の構成を説明するための斜視図である。
【図２】本発明の実施例２おけるスカム除去装置の側面図である。
【図３】本発明の実施例２おけるスカム除去装置の底面図である。
【符号の説明】
【００１２】
１      汚水処理水槽
２      ガイドレール
３      水中攪拌機
４      吸込みカバー
５      ガイド
６      吸込口
７      吐出口
８      フロート
９      繋留具
１２      プロペラ
１４      舵軸支持座
１５      舵軸
１６      舵板
１９      操舵用槓杆
２０      支点
２３      ストッパー
２４      伸縮構造体
２４ａ    基点
２４ｂ    始端部
【図１】
2006334449.tif 000003
【図２】
2006334449.tif 000004
【図３】
2006334449.tif 000005